(57)【要約】      （修正有）【課題】携帯通信端末に搭載される非接触ＩＣを用いて施錠・解錠を行うロッカー装置の提供。【解決手段】鍵開閉システム１００が、非接触ＩＣを備える１つ以上の携帯通信端末１０と、複数のロッカーを備えるロッカー装置２０と、ロッカーの鍵の開閉を管理する施錠管理装置と、各ロッカーの所定の情報及びロッカーの鍵を解錠するための解錠キー情報を含む鍵情報ファイルを管理する管理サーバ３０とを備え、施錠管理装置が、非接触ＩＣリーダ／ライタ手段と、ロッカーの施錠時に鍵情報ファイルを生成する鍵情報ファイル生成手段と、ロッカーの鍵の開閉を制御する鍵開閉制御手段とを含み、鍵情報ファイルが生成された場合鍵情報ファイルを携帯通信端末及び管理サーバへ送信し、携帯通信端末から鍵情報ファイルを受信した場合当該ロッカーに関する鍵情報ファイルを管理サーバから取得し、双方の解錠キー情報が同一である場合、ロッカーの解錠を行う。【選択図】図１
2012207452.tif 000002
【特許請求の範囲】
【請求項１】
非接触ＩＣを備える１つ以上の携帯通信端末と、
複数のロッカーを備えるロッカー装置と、
前記携帯通信端末による前記ロッカーの鍵の開閉を管理する施錠管理装置と、
前記各ロッカーの所定の情報及び当該ロッカーの鍵を解錠するための解錠キー情報を含む鍵情報ファイルを管理する管理サーバとを備え、
前記施錠管理装置が、
前記非接触ＩＣとデータの送受信を行う非接触ＩＣリーダ／ライタ手段と、
所定の前記ロッカーの施錠時に、当該ロッカーに関する前記鍵情報ファイルを生成する鍵情報ファイル生成手段と、
前記ロッカーの鍵の開閉を制御する鍵開閉制御手段とを含み、
前記鍵開閉制御手段が、
前記鍵情報ファイル生成手段によって前記鍵情報ファイルが生成された場合、当該鍵情報ファイルを前記携帯通信端末及び前記管理サーバへ送信し、
所定の前記携帯通信端末から前記非接触ＩＣリーダ／ライタ手段を介して前記鍵情報ファイルを受信した場合、当該鍵情報ファイルに対応する前記ロッカーを特定し、当該ロッカーに関する前記鍵情報ファイルを前記管理サーバから取得し、双方の鍵情報ファイルの解錠キー情報が同一である場合、当該ロッカーの解錠を行う
ことを特徴とする鍵開閉システム。
【請求項２】
前記鍵情報ファイルが、
前記ロッカーの情報として、少なくとも当該ロッカーを備える前記ロッカー装置の所在地及び当該ロッカーを識別するためのロッカー番号を含むことを特徴とする請求項１に記載の鍵開閉システム。
【請求項３】
前記鍵開閉制御手段は、
前記非接触ＩＣリーダ／ライタ手段を介して、前記非接触ＩＣへ前記鍵情報ファイルを送信し、
前記携帯通信端末は、
受信した前記鍵情報ファイルを前記非接触ＩＣへ読み込ませる制御手段を備える
ことを特徴とする請求項１又は請求項２に記載の鍵開閉システム。
【請求項４】
前記携帯通信端末が、
一時的にデータを保存するメモリを備え、
前記制御手段が、
前記非接触ＩＣを介して受信した前記鍵情報ファイルを前記メモリに保存し、前記メモリに保存した鍵情報ファイルを前記非接触ＩＣに読み込ませ、その後、前記メモリに保存されている鍵情報ファイルを削除する
ことを特徴とする請求項３に記載の鍵開閉システム。
【請求項５】
前記携帯通信端末は、
他の前記携帯通信端末から所定の鍵情報ファイルを受信すると、前記制御手段が、受信した前記鍵情報ファイルを、非接触ＩＣへ読み込ませることを特徴とする請求項３又は請求項４に記載の鍵開閉システム。
【請求項６】
前記管理サーバが、
前記鍵情報ファイルを格納する鍵情報ファイル格納手段と、
前記施錠管理装置からの要求に応じて、所定の鍵情報ファイルを前記鍵情報ファイル格納手段から取得し、前記施錠管理装置へ送信する鍵情報ファイル管理手段と
を備えることを特徴とする請求項１から請求項５の何れか１項に記載の鍵開閉システム。
【請求項７】
非接触ＩＣを備える１つ以上の携帯通信端末によるロッカーの鍵の開閉を管理する施錠管理装置であって、
前記非接触ＩＣとデータの送受信を行う非接触ＩＣリーダ／ライタ手段と、
所定の前記ロッカーの施錠時に、当該ロッカーに関する所定の情報及び当該ロッカーの鍵を解錠するための解錠キー情報を含む前記鍵情報ファイルを生成する鍵情報ファイル生成手段と、
前記ロッカーの鍵の開閉を制御する鍵開閉制御手段とを含み、
前記鍵開閉制御手段が、
前記鍵情報ファイル生成手段によって前記鍵情報ファイルが生成された場合、当該鍵情報ファイルを、前記携帯通信端末及び前記鍵情報ファイルを管理する前記管理サーバへ送信し、
所定の前記携帯通信端末から前記非接触ＩＣリーダ／ライタ手段を介して前記鍵情報ファイルを受信した場合、当該鍵情報ファイルに対応する前記ロッカーを特定し、当該ロッカーに関する前記鍵情報ファイルを前記管理サーバから取得し、双方の鍵情報ファイルの解錠キー情報が同一である場合、当該ロッカーの解錠を行う
ことを特徴とする施錠管理装置。
【請求項８】
前記鍵情報ファイルが、
前記ロッカーの情報として、少なくとも当該ロッカーを備える前記ロッカー装置の所在地及び当該ロッカーを識別するためのロッカー番号を含むことを特徴とする請求項７に記載の施錠管理装置。
【請求項９】
非接触ＩＣを備える１つ以上の携帯通信端末によるロッカーの鍵の開閉を管理する施錠管理装置による施錠管理方法であって、
所定の前記ロッカーの施錠時に、当該ロッカーに関する所定の情報及び当該ロッカーの鍵を解錠するための解錠キー情報を含む前記鍵情報ファイルを生成する鍵情報ファイル生成ステップと、
前記ロッカーの鍵の開閉を制御する鍵開閉制御ステップとを含み、
前記鍵開閉制御ステップで、
前記鍵情報ファイル生成手段によって前記鍵情報ファイルが生成された場合、当該鍵情報ファイルを、前記携帯通信端末及び前記鍵情報ファイルを管理する前記管理サーバへ送信し、
所定の前記携帯通信端末から前記非接触ＩＣを介して前記鍵情報ファイルを受信した場合、当該鍵情報ファイルに対応する前記ロッカーを特定し、当該ロッカーに関する前記鍵情報ファイルを前記管理サーバから取得し、双方の鍵情報ファイルの解錠キー情報が同一である場合、当該ロッカーの解錠を行う
ことを特徴とする施錠管理方法。
【請求項１０】
非接触ＩＣを備える１つ以上の携帯通信端末によるロッカーの鍵の開閉を管理する施錠管理装置上で動作する施錠管理プログラムであって、
前記施錠管理装置に、
所定の前記ロッカーの施錠時に、当該ロッカーに関する所定の情報及び当該ロッカーの鍵を解錠するための解錠キー情報を含む前記鍵情報ファイルを生成する鍵情報ファイル生成処理と、
前記ロッカーの鍵の開閉を制御する鍵開閉制御処理をと実行させ、
前記鍵開閉制御処理で、
前記鍵情報ファイル生成手段によって前記鍵情報ファイルが生成された場合、当該鍵情報ファイルを、前記携帯通信端末及び前記鍵情報ファイルを管理する前記管理サーバへ送信し、
所定の前記携帯通信端末から前記非接触ＩＣを介して前記鍵情報ファイルを受信した場合、当該鍵情報ファイルに対応する前記ロッカーを特定し、当該ロッカーに関する前記鍵情報ファイルを前記管理サーバから取得し、双方の鍵情報ファイルの解錠キー情報が同一である場合、当該ロッカーの解錠を行う
ことを特徴とする施錠管理プログラム。
【発明の詳細な説明】
【技術分野】
【０００１】
本発明は、コインロッカー等のロッカー装置の鍵管理技術に関し、特に、携帯通信端末に搭載される非接触ＩＣを用いてロッカー装置の施錠・解錠を行う技術に関する。
【背景技術】
【０００２】
コインロッカー等のロッカーシステムは、これまで、磁気カードやキー操作によるものが種であったが、近年、ＩＣカード等を用いた方式が増えつつある。そのような背景技術によるロッカーシステムの例が、例えば特許文献１、特許文献２に開示されている。
【０００３】
特許文献１に記載のロッカーシステムについて、図１５を参照して説明する。
【０００４】
特許文献１に記載のロッカーシステムは、錠管理装置１０２０が、錠付き戸棚１０１０の格納庫ごとに付された格納庫の識別コードに対応して、該格納庫を施錠した非接触型ＩＣカード１０５０の識別コードを記憶する。
【０００５】
また、錠管理装置１０２０は、該識別コードに対応して、利用者の移動体通信端末装置１０３０に付けられた電話番号、電子メールアドレス、利用者の氏名、住所、暗証番号等の個人情報をテーブルとして記憶しておく。
【０００６】
錠管理装置１０２０は、施錠者からの依頼を受ける等により、施錠が行われて使用中の格納庫に対応して記憶している非接触型ＩＣカード１０５０の識別コードを別の非接触型ＩＣカード１０５０の識別コードに書き換えた場合に、前述のテーブルから、新たに指定された非接触型ＩＣカード１０５０に対応する電話番号又は電子メールアドレスを引き出し、該電話番号又は電子メールアドレスを有する移動体通信端末装置１０３０に、該格納庫の解錠を促す案内（音声によるアナウンス又は電子メール）を送信する。
【０００７】
該案内には、錠管理装置１０２０が解錠すべき錠付き戸棚１０１０の格納庫１０１１の位置や施錠者の情報等を含めてもよい。
【０００８】
また、錠管理装置１０２０と移動体通信端末装置１０３０との間の通信は、施錠者から錠管理装置１０２０への依頼の手段としても使用出来る。
【０００９】
例えば、施錠者が錠管理装置１０２０の音声応答にて、施錠して使用中の格納庫１０１１の解錠を依頼したい他の利用者の非接触型ＩＣカード５０の識別コード、または、移動体通信端末装置３０の電話番号、電子メールアドレスを知らせ、錠管理装置１０２０が該情報にもとづき該テーブルのデータを更新するようにしてもよい。また、施錠者が電子メールにて前記と同じデータを錠管理装置１０２０へ送信し前記のデータ更新を要求してもよい。
【先行技術文献】
【特許文献】
【００１０】
【特許文献１】特開２００３‐３３７９７９号公報
【特許文献２】特開２０１０−２０９５２７号公報
【特許文献３】特開２００７−１３１４３４号公報
【特許文献４】特開２００９−２９３３１７号公報
【発明の概要】
【発明が解決しようとする課題】
【００１１】
上述したように、引用文献１等の背景技術による発明は、携帯電話の非接触ＩＣを利用してコインロッカーの施錠・解錠をする方法において、コインロッカーの施錠者が他の人に解錠させたいと考えた時、施錠者が携帯電話機を操作して、コインロッカーを管理する鍵管理装置に対して、施錠した非接触ＩＣカード情報の変更要求を行うことにより、他の人が持つ非接触ＩＣ搭載の携帯電話機で解錠を可能とするものであった。
【００１２】
しかし、このような方法では、以下のような課題がある。
【００１３】
第１の課題は、コインロッカーの鍵管理は従来発明にある鍵管理装置が行っているため、コインロッカー施錠者が鍵管理装置に対してコインロッカー施錠情報の更新を依頼することになり、コインロッカー施錠者の携帯電話操作が煩雑になる、ということである。
【００１４】
第２の課題は、コインロッカー施錠者が鍵管理装置に対してコインロッカー施錠情報の更新を依頼した後は、コインロッカーの解錠は他者のみになるため、コインロッカー施錠者自身の携帯電話を使って解錠することが出来ない、ということである。
【００１５】
第３の課題は、コインロッカーの鍵施錠者が他の人に鍵の解錠をさせる為には、鍵管理装置に鍵施錠者と解錠者の携帯電話の電話番号、電子メールアドレスを取得しておく必要があるため、鍵施錠者、鍵解錠者、それぞれのプライベート情報のセキュリティ上の問題があるということである。
【００１６】
また、特許文献２では、鍵情報の生成において、暗証情報入力装置で暗証情報を入力しているため、セキュリティの面において改善の余地がある。
【００１７】
また、特許文献２では、暗証情報に「解錠するべき装置」の所在を判断する情報が含まれておらず、解錠するべきロッカーの地域・場所・ロッカーＮｏなどがわからないという課題がある。
【００１８】
また、特許文献２では、解錠は鍵装置と携帯端末の間での暗証情報のやりとりのみで、可能となっており、セキュリティの面から改善の余地がある。
【００１９】
（発明の目的）
本発明の目的は、上述の課題を解決し、携帯通信端末に搭載される非接触ＩＣを用いてロッカー装置の施錠・解錠を行う鍵開閉システム、施錠管理装置、施錠管理方法、及び施錠管理プログラムを提供することである。
【課題を解決するための手段】
【００２０】
本発明の第１の鍵開閉システムは、非接触ＩＣを備える１つ以上の携帯通信端末と、複数のロッカーを備えるロッカー装置と、携帯通信端末によるロッカーの鍵の開閉を管理する施錠管理装置と、各ロッカーの所定の情報及び当該ロッカーの鍵を解錠するための解錠キー情報を含む鍵情報ファイルを管理する管理サーバとを備え、施錠管理装置が、非接触ＩＣとデータの送受信を行う非接触ＩＣリーダ／ライタ手段と、所定のロッカーの施錠時に、当該ロッカーに関する鍵情報ファイルを生成する鍵情報ファイル生成手段と、ロッカーの鍵の開閉を制御する鍵開閉制御手段とを含み、鍵開閉制御手段が、鍵情報ファイル生成手段によって鍵情報ファイルが生成された場合、当該鍵情報ファイルを携帯通信端末及び管理サーバへ送信し、所定の携帯通信端末から非接触ＩＣリーダ／ライタ手段を介して鍵情報ファイルを受信した場合、当該鍵情報ファイルに対応するロッカーを特定し、当該ロッカーに関する鍵情報ファイルを管理サーバから取得し、双方の鍵情報ファイルの解錠キー情報が同一である場合、当該ロッカーの解錠を行う。
【００２１】
本発明の第１の施錠管理装置は、非接触ＩＣを備える１つ以上の携帯通信端末によるロッカーの鍵の開閉を管理する施錠管理装置であって、非接触ＩＣとデータの送受信を行う非接触ＩＣリーダ／ライタ手段と、所定のロッカーの施錠時に、当該ロッカーに関する所定の情報及び当該ロッカーの鍵を解錠するための解錠キー情報を含む鍵情報ファイルを生成する鍵情報ファイル生成手段と、ロッカーの鍵の開閉を制御する鍵開閉制御手段とを含み、鍵開閉制御手段が、鍵情報ファイル生成手段によって鍵情報ファイルが生成された場合、当該鍵情報ファイルを、携帯通信端末及び鍵情報ファイルを管理する管理サーバへ送信し、所定の携帯通信端末から非接触ＩＣリーダ／ライタ手段を介して鍵情報ファイルを受信した場合、当該鍵情報ファイルに対応するロッカーを特定し、当該ロッカーに関する鍵情報ファイルを管理サーバから取得し、双方の鍵情報ファイルの解錠キー情報が同一である場合、当該ロッカーの解錠を行う。
【００２２】
本発明の第１の施錠管理方法は、非接触ＩＣを備える１つ以上の携帯通信端末によるロッカーの鍵の開閉を管理する施錠管理装置による施錠管理方法であって、所定のロッカーの施錠時に、当該ロッカーに関する所定の情報及び当該ロッカーの鍵を解錠するための解錠キー情報を含む鍵情報ファイルを生成する鍵情報ファイル生成ステップと、ロッカーの鍵の開閉を制御する鍵開閉制御ステップとを含み、鍵開閉制御ステップで、鍵情報ファイル生成手段によって鍵情報ファイルが生成された場合、当該鍵情報ファイルを、携帯通信端末及び鍵情報ファイルを管理する管理サーバへ送信し、所定の携帯通信端末から非接触ＩＣを介して鍵情報ファイルを受信した場合、当該鍵情報ファイルに対応するロッカーを特定し、当該ロッカーに関する鍵情報ファイルを管理サーバから取得し、双方の鍵情報ファイルの解錠キー情報が同一である場合、当該ロッカーの解錠を行う。
【００２３】
本発明の第１の施錠管理プログラムは、非接触ＩＣを備える１つ以上の携帯通信端末によるロッカーの鍵の開閉を管理する施錠管理装置上で動作する施錠管理プログラムであって、施錠管理装置に、所定のロッカーの施錠時に、当該ロッカーに関する所定の情報及び当該ロッカーの鍵を解錠するための解錠キー情報を含む鍵情報ファイルを生成する鍵情報ファイル生成処理と、ロッカーの鍵の開閉を制御する鍵開閉制御処理をと実行させ、鍵開閉制御処理で、鍵情報ファイル生成手段によって鍵情報ファイルが生成された場合、当該鍵情報ファイルを、携帯通信端末及び鍵情報ファイルを管理する管理サーバへ送信し、所定の携帯通信端末から非接触ＩＣを介して鍵情報ファイルを受信した場合、当該鍵情報ファイルに対応するロッカーを特定し、当該ロッカーに関する鍵情報ファイルを管理サーバから取得し、双方の鍵情報ファイルの解錠キー情報が同一である場合、当該ロッカーの解錠を行う。
【発明の効果】
【００２４】
本発明によれば、携帯通信端末に搭載される非接触ＩＣを用いてロッカー装置の施錠・解錠を行うことができる。
【図面の簡単な説明】
【００２５】
【図１】本発明の第１の実施の形態による鍵開閉システムの構成を示すブロック図である。
【図２】第１の実施の形態による携帯通信端末の構成を示すブロック図である。
【図３】第１の実施の形態によるロッカー装置の構成を示すブロック図である。
【図４】第１の実施の形態による施錠管理装置の構成を示すブロック図である。
【図５】第１の実施の形態による携帯通信端末間の鍵情報ファイルの送受信の構成を示す図である。
【図６】第１の実施の形態による鍵情報ファイルの構成例を示す図である。
【図７】第１の実施の形態によるロッカー施錠時の動作を示すシーケンス図である。
【図８】第１の実施の形態によるロッカー解錠時の動作を示すシーケンス図である。
【図９】第１の実施の形態による管理サーバの構成を示すブロック図である。
【図１０】第１の実施の形態による鍵情報ファイルの転送の動作を示すシーケンス図である。
【図１１】本発明の鍵開閉システムの最小限の構成を示すブロック図である。
【図１２】本発明の第１の実施の形態による鍵開閉システムの特徴を示す図である。
【図１３】本発明の施錠管理装置のハードウェア構成例を示すブロック図である。
【図１４】本発明の携帯通信端末のハードウェア構成例を示すブロック図である。
【図１５】背景技術によるロッカーシステムの構成を示すブロック図である。
【発明を実施するための形態】
【００２６】
本発明の上記及び他の目的、特徴及び利点を明確にすべく、添付した図面を参照しながら、本発明の実施形態を以下に詳述する。なお、上述の本願発明の目的のほか、他の技術的課題、その技術的課題を解決する手段及びその作用効果についても、以下の実施形態による開示によって明らかとなるものである。
【００２７】
なお、すべての図面において、同様な構成要素には同様の符号を付し、適宜説明を省略する。
【００２８】
（第１の実施の形態）
図１は、本発明の第１の実施の形態による鍵開閉システム１００の構成を示すブロック図である。
【００２９】
図１を参照すると、鍵開閉システム１００は、携帯電話機等の携帯電話端末１０と、１つ以上のロッカー装置２０（２０−１〜２０−ｎ）と、管理サーバ３０とから構成される。
【００３０】
ロッカー装置２０と管理サーバ３０とは、ネットワーク４０を介しての通信を可能とする。また、携帯通信端末１０とロッカー装置２０とは、非接触ＩＣによる無線通信を可能とする。なお、ロッカー装置２０は、コインロッカー等を想定するが、これに限定はされない。
【００３１】
ロッカー装置２０−１〜２０−ｎは、それぞれ、物理的に所定の地域に拡散配置されていてもよく、同一地域であってもよい。
【００３２】
ここで、図２を参照すると、図２は、携帯通信端末１０の構成を示すブロック図である。なお、本発明の本質的な特徴でない、一般的な携帯電話機の有する機能については、図示を省略する。
【００３３】
図２を参照すると、携帯通信端末１０は、制御手段１１と、メモリ１２と、非接触ＩＣ１３と、表示手段１４とを備える。
【００３４】
非接触ＩＣ１３は、一般にＦｅｌｉＣａ（登録商標）などと呼ばれるものと同様に、非接触ＩＣのリーダ／ライタとの間で、データの通信を行う装置である。
【００３５】
非接触ＩＣ１３は、ロッカー装置２０の施錠時に、後述するロッカー装置２０の非接触ＩＣリーダ／ライタ手段２１から、鍵情報ファイル６０を受信する。
【００３６】
また、非接触ＩＣ１３は、ロッカー装置２０の解錠時に、鍵情報ファイル６０を、ロッカー装置２０の非接触ＩＣリーダ／ライタ手段２１に送信する。
【００３７】
制御手段１１は、所定の鍵管理用プログラムを実行し、該鍵管理用プログラムを介して、非接触ＩＣ１３へ鍵情報ファイル６０を読み込ませる。
【００３８】
また、制御手段１１は、所定の鍵管理用プログラムを実行し、該鍵管理用プログラムを介して、非接触ＩＣ１３に取り込んである鍵情報ファイル６０を再生成し、メモリ１２へ一時保存する。
【００３９】
ここで、鍵管理用プログラムとは、非接触ＩＣ１３の鍵情報ファイル６０へアクセスできるプログラムをいう。非接触ＩＣ１３内のデータ保存領域はセキュアな領域であるため、該鍵管理用プログラムを用いることで非接触ＩＣ１３の鍵情報ファイル６０へアクセスできる。同様に、非接触ＩＣ１３へ鍵情報ファイル６０を読み込ませる処理も、該鍵管理用プログラムを用いて行う。
【００４０】
図３は、ロッカー装置２０の構成を示すブロック図である。なお、図３には、ロッカー装置２０の接続状態を説明するために、ネットワーク４０と管理サーバ３０についても、便宜上図示している。
【００４１】
ロッカー装置２０は、１つ以上のロッカー２１（２１−１〜２１−ｍ）と、施錠管理装置２２とを備える。
【００４２】
ロッカー２１は、鍵がかけられる戸棚等である。
【００４３】
施錠管理装置２２は、ロッカー２１の施錠・解錠を管理する装置である。
【００４４】
ここで、施錠管理装置２２の構成を図４に示す。図４を参照すると、施錠管理装置２２は、非接触ＩＣリーダ／ライタ手段２２１と、鍵情報ファイル６０を生成する鍵情報ファイル生成手段２２２と、ネットワーク４０を介して管理サーバ３０と通信を行う通信手段２２３と、ロッカー２１の鍵の開閉を行う鍵開閉制御手段２２４とを備える。
【００４５】
非接触ＩＣリーダ／ライタ手段２２１は、一般にＦｅｌｉＣａ（登録商標）などと呼ばれる非接触ＩＣのリーダ／ライタの役割を行う機能を有する。
【００４６】
非接触ＩＣリーダ／ライタ手段２２１は、非接触ＩＣ１３との間で鍵情報ファイルの送受信を行う。
【００４７】
ここで、鍵情報ファイル６０の構成例を図６に示す。鍵情報ファイル６０は、ヘッダ部６１と、テキスト部６２と、鍵情報部６３とから構成される。
【００４８】
ヘッダ部６１は、ファイルのバージョン、形式などの規定情報を含む。
【００４９】
テキスト部６２は、ロッカー装置２０の所在地を示す情報を含む。所在地を含む情報は、例えば該所在地を示す地図情報のＵＲＬ等である。
【００５０】
鍵情報部６３は、ロッカー装置２０の所在地と、ロッカー２１−ｍのロッカー番号と、解錠キー情報とを含む。
【００５１】
なお、ヘッダ部６１、テキスト部６２、鍵情報部６３の記述フォーマットなどは、任意のものが可能であるものとする。図６においては、現在一般に普及されているトルカ（ＴｏｒｕＣａ）（登録商標）を参考に記載したものである。また、鍵情報部６３については、情報漏えいの観点から、暗号化してもよいものとする。
【００５２】
ここで、管理サーバ３０の構成を、図９のブロック図に示す。図９を参照すると、管理サーバ３０は、と、鍵情報ファイル６０の管理を行う鍵情報ファイル管理手段３１と、下記情報ファイル６０を格納する鍵情報ファイル格納手段３２と、施錠管理装置２２と通信を行う通信手段３３を備える。
【００５３】
次に、本実施の形態における、携帯通信端末間の鍵情報ファイルの送受信の構成を、図５に示す。
【００５４】
図５において、携帯通信端末１０ａが、ロッカー装置２０の所定のロッカー２１−ｍを施錠したものとする。携帯通信端末１０ａは、非接触ＩＣ１３を搭載している。
【００５５】
携帯通信端末１０ａは、ロッカー装置２０の所定のロッカー２１−ｍを施錠した際に施錠管理装置２２から取得した鍵情報ファイル６０を、電子メールに添付して携帯通信端末１０ｂへ送信する。該電子メールは、基地局５０ａ、ネットワーク４０、基地局５０ｂを経由して、携帯通信端末１０ｂへ到着する。
【００５６】
電子メールを受け取った携帯通信端末１０ｂは、該電子メールに添付されている鍵情報ファイルを取得し、自装置の非接触ＩＣ１３に取り込む。
【００５７】
なお、電子メールで所定の情報やファイルを添付して送受信する方法については、一般的に実現されている事項なので詳述しない。
【００５８】
（第１の実施の形態の動作の説明）
次に、本実施の形態による鍵開閉システム１００の動作について、図面を参照して詳細に説明する。
【００５９】
（ロッカーの施錠時の動作の説明）
まず、携帯通信端末１０が、所定のロッカー２１−ｍを施錠する動作について説明する。図７は、本実施の形態によるロッカー施錠時の動作を示すシーケンス図である。なお、ここでは、携帯通信端末１０ａが、所定のロッカー２１−ｍを施錠する動作を例として説明を行う。
【００６０】
図７を参照すると、まず、携帯通信端末１０ａのユーザが、ロッカー２１−ｍに荷物などを入れる（ステップＳ７０１）。
【００６１】
次いで、該ユーザが、ロッカー２１―ｍの番号などの情報を施錠管理装置２２にて入力した後、携帯通信端末１０ａを施錠管理装置２２に近づける（ステップＳ７０２）。
【００６２】
次いで、施錠管理装置２２の非接触ＩＣリーダ／ライタ手段２２１が、携帯通信端末１０ａの非接触ＩＣ１３と通信を開始する（ステップＳ７０３）。
【００６３】
ここで、非接触ＩＣ（一般にＦｅｌｉＣａ（登録商標）などと呼ばれるものを含む）と非接触ＩＣリーダ／ライタの無線通信は、非接触ＩＣリーダ／ライタの発生する電磁誘導により、非接触ＩＣに対して電力を発生させる事により、両者間の通信が可能となる。両者間の通信確立方法については、周知の事項なので詳述しない。
【００６４】
次いで、施錠管理装置２２の鍵情報ファイル生成手段２２２が、ロッカー２１−ｍの鍵情報ファイル６０を生成し（ステップＳ７０４）、非接触ＩＣリーダ／ライタ手段２２１が、該鍵情報ファイル６０を、非接触ＩＣ１３へ送信する（ステップＳ７０５）。
【００６５】
携帯通信端末１０ａの非接触ＩＣ１３は、受信した鍵情報ファイル６０を、メモリ１２に格納し、次いで、制御手段１２が、該鍵情報ファイル６０を非接触ＩＣ１３に読み込ませる（ステップＳ７０６）。
【００６６】
次いで、制御手段１１が、非接触ＩＣ１３を介して、鍵情報ファイル６０を受信した旨を示す「鍵情報ファイル取得通知」を施錠管理装置２２に送信する（ステップＳ７０７）。
【００６７】
非接触ＩＣリーダ／ライタ手段２２１が「鍵情報ファイル取得通知」を受信すると、鍵開閉制御手段２２４が、ロッカー２１−ｍの施錠を行う（ステップＳ７０８）。
【００６８】
次いで、鍵開閉制御手段２２４が、非接触ＩＣリーダ／ライタ手段２２１を介して、施錠した旨を示す「施錠確認通知」を送信する（ステップＳ７０９）。
【００６９】
非接触ＩＣ１３が「施錠確認通知」を受信すると、制御手段１１が、該鍵情報ファイル６０に含まれる鍵情報部６３の内容（ロッカー２１−ｍの所在地とロッカー番号）を、表示手段１３へ表示する（ステップＳ７１０）。
【００７０】
次いで、制御手段１１は、非接触ＩＣ１３を介して、ロッカーが施錠された事を確認した旨を示す「施錠確認通知」を送信する（ステップＳ７１１）。
【００７１】
また、制御手段１１は、メモリ１２に格納されている鍵情報ファイル６０を破棄する（ステップＳ７１２）。これにより、鍵情報ファイル６０の情報は非接触ＩＣ１３にだけ存在することとなる。
【００７２】
次いで、非接触ＩＣリーダ／ライタ手段２２１が「施錠確認通知」を受信すると、施錠管理装置２２は、その旨を所定の表示部へ表示する（ステップＳ７１３）。該表示部及び表示の方法は本発明の本質的な特徴ではないので、詳細は省略する。
【００７３】
次いで、施錠管理装置２２は、ロッカー２１−ｍの鍵情報ファイル６０を、管理サーバ３０へ送信する（ステップＳ７１４）。
【００７４】
管理サーバ３０は、通信手段３１が該鍵情報ファイル６０を受信すると、鍵情報ファイル管理手段３１が、該鍵情報ファイル６０を鍵情報ファイル格納手段３２へ格納する（ステップＳ７１５）。
【００７５】
（鍵情報ファイルの転送の動作の説明）
次に、ロッカー２１−ｍの鍵情報ファイル６０の転送の動作について説明する。
【００７６】
図１０は、本実施の形態による鍵情報ファイルの転送の動作を示すシーケンス図である。
【００７７】
図１０を参照すると、まず、携帯通信端末１０ａが、鍵情報ファイル６０を添付した電子メールを携帯通信端末１０ｂへ送信する（ステップＳ１００１）。
【００７８】
この時、携帯通信端末１０ａは、ユーザの操作による指示により、制御手段１１が鍵管理用プログラムを実行し、該鍵管理用プログラムを介して非接触ＩＣ１３に取り込んである鍵情報ファイルを再生成し、メモリ１２に一時保存する。そして、メモリ１２に一時保存された鍵情報ファイル６０を、電子メールに添付して送信する。一時保存された鍵情報ファイル６０は、電子メール送信後、破棄される。
【００７９】
携帯通信端末１０ｂが該電子メールを受信すると、制御手段１２が、受信した鍵情報ファイル６０を、メモリ１２に格納する（ステップＳ１００２）。
【００８０】
次いで、制御手段１２が、鍵管理用プログラムを実行し、該鍵管理用プログラムを介して、メモリ１２に格納されている該鍵情報ファイル６０を非接触ＩＣ１３に読み込ませ（ステップＳ１００３）、さらに、該鍵情報ファイル６０に含まれる鍵情報部６３の情報であるロッカー２１−ｍの所在地とロッカー番号を、表示手段１３へ表示する（ステップＳ１００４）。
【００８１】
次いで、制御手段１２が、メモリ１２の鍵情報ファイル６０を削除する（ステップＳ１００５）。
【００８２】
なお、電子メールによるデータの送受信する方法については、既存技術で実現されている事項なので詳述しない。また、鍵情報ファイル６０の送付先は、複数であっても良い。
【００８３】
（他の携帯通信端末によるロッカー解錠の動作の説明）
次に、ロッカー２１−ｍを施錠した携帯通信端末１０ａからロッカー２１−ｍの鍵情報ファイル６０を受信して自端末の非接触ＩＣに読み込ませた携帯通信端末１０ｂが、ロッカー２１−ｍを解錠する動作について説明する。
【００８４】
図８は、本実施の形態によるロッカー解錠時の動作を示すシーケンス図である。
【００８５】
図８を参照すると、まず、携帯通信端末１０ｂのユーザが、携帯通信端末１０ｂを施錠管理装置２２にかざす（ステップＳ９０１）。
【００８６】
次いで、施錠管理装置２２の非接触ＩＣリーダ／ライタ手段２２１が、携帯通信端末１０ｂの非接触ＩＣ１３と通信を開始する（ステップＳ８０２）。
【００８７】
次いで、施錠管理装置２２の鍵開閉制御手段２２４が、非接触ＩＣリーダ／ライタ手段２２１を介して、鍵情報ファイルの要求を示す「鍵情報要求通知」を非接触ＩＣ１３へ送信する（ステップＳ８０３）。
【００８８】
「鍵情報要求通知」を非接触ＩＣ１３が受信すると、制御手段１１が、鍵管理用プログラムを実行し、該鍵管理用プログラムを介して、非接触ＩＣ１３内の鍵情報ファイル６０を再生成してメモリ１２に一時保存し（ステップＳ８０４）、非接触ＩＣ１３を介して該鍵情報ファイル６０を非接触ＩＣリーダ／ライタ手段２２１へ送信する（ステップＳ８０５）。なお、メモリ１２に一時保存された鍵情報ファイル６０は、その後破棄される。
【００８９】
非接触ＩＣリーダ／ライタ手段２２１が鍵情報ファイル６０を受信すると、鍵開閉制御手段２２４が、鍵情報ファイル６０から解錠対象のロッカー２１（以下、ロッカー２１−ｍとする）を特定し、管理サーバ３０に対し、該ロッカー２１−ｍの鍵情報ファイル６０を要求する（ステップＳ８０６）。
【００９０】
該要求を受けた管理サーバ３０は、鍵情報ファイル管理手段３１が、鍵情報ファイル格納手段３２から、ロッカー２１−ｍの鍵情報ファイル６０を取得し、該鍵情報ファイル６０を施錠管理装置２２へ送信する（ステップＳ８０７）。
【００９１】
次いで、施錠管理装置２２の鍵開閉制御手段２２４は、携帯通信端末１０ｂから取得した鍵情報ファイル６０と、管理サーバ３０から取得した鍵情報ファイル６０との解錠キー情報が同一であるか否かを確認し（ステップＳ８０８）、同一である場合、ロッカー２１−ｍを解錠する（ステップＳ８０９）。
【００９２】
なお、鍵情報ファイル６０が同一でない場合は、当然ながら解錠は行わず、エラーとして処理が終了する。
【００９３】
次いで、鍵開閉制御手段２２４は、非接触ＩＣリーダ／ライタ手段２２１を介して、ロッカー２１−ｍの解錠を行った旨を携帯通信端末１０ｂへ送信するとともに（ステップＳ８１０）、その旨を施錠管理装置２２の所定の表示部へ表示する（ステップＳ８１１）。
【００９４】
携帯通信端末１０ｂは、非接触ＩＣ１３が施錠管理装置２２から解錠の旨を受信すると、制御手段１１が、その旨を表示手段１３へ表示する（ステップＳ８１２）。
【００９５】
次いで、携帯通信端末１０ｂは、制御手段１１が、非接触ＩＣ１３に格納されている鍵情報ファイル６０を破棄するとともに（ステップＳ８１３）、ロッカー２１−ｍの解錠を確認した旨を施錠管理装置２２へ送信する（ステップＳ８１４）。
【００９６】
次いで、施錠管理装置２２の鍵開閉制御手段２２４が、管理サーバ３０に対し、ロッカー２１−ｍの鍵情報ファイル６０を削除する旨の要求を、通信手段２２３を介して行う（ステップＳ８１５）。
【００９７】
次いで、管理サーバ３０の鍵情報ファイル管理手段３１が、鍵情報ファイル格納手段３２から、ロッカー２１−ｍの鍵情報ファイル６０を削除する（ステップＳ８１６）。
携帯電話機１０ｂのユーザは、解錠されたコインロッカー２１−ｍから手動にて荷物を取り出す（ステップＳ８１７）。
【００９８】
（第１の実施の形態による効果）
【００９９】
本実施の形態によれば、以下の効果を奏する。
【０１００】
第１の効果は、ロッカー２１の鍵情報ファイル６０を電子メールで他の非接触ＩＣ１３搭載の携帯通信端末１０に送信するので、管理サーバ３０への鍵情報変更手続きの煩わしさを削減できることである。
【０１０１】
第２の効果は、ロッカー２１の施錠者自身の携帯通信端末１０にも、非接触ＩＣ１３内部に鍵情報ファイル６０を保存しているので、鍵情報ファイル６０を他の携帯通信端末１０に送信した後でも、施錠者の携帯通信端末１０でコインロッカーの解錠ができることである。
【０１０２】
第３の効果は、管理サーバ３０には、鍵施錠者と解錠者の電話番号、電子メールアドレス等を登録しておく必要がないので、ロッカー２１の鍵施錠者、鍵解錠者それぞれのプライベート情報のセキュリティが保たれることである。
【０１０３】
なお、本発明の課題を解決できる最小限の構成を図１１に示す。施錠管理装置２２が、非接触ＩＣ１３を備える１つ以上の携帯通信端末１０によるロッカー２１の鍵の開閉を管理する施錠管理装置２２であって、非接触ＩＣ１３とデータの送受信を行う非接触ＩＣリーダ／ライタ手段２２１と、所定のロッカー２１の施錠時に、当該ロッカー２１に関する所定の情報及び当該ロッカー２１の鍵を解錠するための解錠キー情報を含む鍵情報ファイル６０を生成する鍵情報ファイル生成手段２２２と、ロッカーの鍵の開閉を制御する鍵開閉制御手段２２４とを含み、鍵開閉制御手段２２４が、鍵情報ファイル生成手段２２２によって鍵情報ファイル６０が生成された場合、当該鍵情報ファイル６０を、携帯通信端末１０及び鍵情報ファイル６０を管理する管理サーバ３０へ送信し、所定の携帯通信端末１０から非接触ＩＣリーダ／ライタ手段２２１を介して鍵情報ファイル６０を受信した場合、当該鍵情報ファイル６０に対応するロッカー２１を特定し、当該ロッカー２１に関する鍵情報ファイル６０を管理サーバ３０から取得し、双方の鍵情報ファイル６０の解錠キー情報が同一である場合、当該ロッカー２１の解錠を行うことで、上述した本発明の課題を解決することができる。
【０１０４】
（第２の実施の形態）
次に、本発明の第２の実施の形態について説明する。なお、鍵開閉システム１００構成は第１の実施の形態と同様であるため、図示は省略する。
【０１０５】
第１の実施例では、鍵施錠者の携帯通信端末１０ａから、他の携帯通信端末１０ｂへ鍵情報ファイルを送信することで、該携帯通信端末１０ｂでもロッカー２１の解錠を可能としている。
【０１０６】
これに対し、本実施の形態では、鍵情報ファイルを受信した携帯通信端末１０が、さらに他の携帯通信端末１０へ該鍵情報ファイルを電子メールにて送信する。該送信の機能は、第１の実施の形態で説明した携帯通信端末１０ａの機能により実現できるため、説明は省略する。
【０１０７】
ここで、本実施の特徴を、図１２に示す。このような特徴を有することにより、本実施の形態では、ねずみ算的に鍵情報ファイルを配信することができる。
【０１０８】
なお、第１の実施の形態で述べたように、何れかの携帯通信端末１０がロッカー２１−ｍの解錠を行うと、ロッカー２１−ｍに係る鍵情報ファイル６０が管理サーバ３０から削除されるため、その後、他の携帯通信端末１０はロッカー２１−ｍの解錠を行うことは出来ない。
【０１０９】
（第２の実施の形態による効果）
本実施の形態によれば、鍵情報ファイルの配布先に自由度を持たせているので、不特定多数（現実的には“コインロッカーを開けて欲しい相手の数”）に鍵情報ファイルを配布ができる。
【０１１０】
次に、本発明の施錠管理装置２２のハードウェア構成例について、図１３を参照して説明する。図１３は、本発明の施錠管理装置２２のハードウェア構成例を示すブロック図である。
【０１１１】
図１３を参照すると、本発明の施錠管理装置２２は、一般的なコンピュータ装置と同様のハードウェア構成であり、ＣＰＵ（Ｃｅｎｔｒａｌ  Ｐｒｏｃｅｓｓｉｎｇ  Ｕｎｉｔ）８０１、ＲＡＭ（Ｒａｎｄｏｍ  Ａｃｃｅｓｓ  Ｍｅｍｏｒｙ）等のメモリからなる、データの作業領域やデータの一時退避領域に用いられる主記憶部８０２、ネットワークを介してデータの送受信を行う通信部８０３、入力装置８０５や出力装置８０６及び記憶装置８０７と接続してデータの送受信を行う入出力インタフェース部８０４、上記各構成要素を相互に接続するシステムバス８０８を備えている。記憶装置８０７は、例えば、ＲＯＭ（Ｒｅａｄ  Ｏｎｌｙ  Ｍｅｍｏｒｙ）、磁気ディスク、半導体メモリ等の不揮発性メモリから構成されるハードディスク装置等で実現される。
【０１１２】
本発明の施錠管理装置２２の各機能は、プログラムを組み込んだ、ＬＳＩ（Ｌａｒｇｅ  Ｓｃａｌｅ  Ｉｎｔｅｇｒａｔｉｏｎ）等のハードウェア部品である回路部品を実装することにより、その動作をハードウェア的に実現することは勿論として、その機能を提供するプログラムを、記憶装置８０７に格納し、そのプログラムを主記憶部８０２にロードしてＣＰＵ８０１で実行することにより、ソフトウェア的に実現することも可能である。
【０１１３】
また、管理サーバ３０も、上記のようなハードウェア構成を有し、管理サーバ３０が有する各機能をハードウェア的又はソフトウェア的に実現する。
【０１１４】
次に、本発明の携帯通信端末１０のハードウェア構成例について、図１４を参照して説明する。図１４は、本発明の携帯通信端末１０のハードウェア構成例を示すブロック図である。
【０１１５】
図１４を参照すると、本発明の携帯通信端末１０は、一般的な携帯電話機等と同様のハードウェア構成であり、ＣＰＵ（Ｃｅｎｔｒａｌ  Ｐｒｏｃｅｓｓｉｎｇ  Ｕｎｉｔ）９０１、ＲＡＭ（Ｒａｎｄｏｍ  Ａｃｃｅｓｓ  Ｍｅｍｏｒｙ）等のメモリからなる、データの作業領域やデータの一時退避領域に用いられる主記憶部９０２、無線通信によりデータの送受信を行う無線通信部９０３、入力部９０５や表示部９０６及び記憶装置９０７と接続してデータの送受信を行う入出力インタフェース部９０４、上記各構成要素を相互に接続するシステムバス９０８を備えている。
【０１１６】
本発明の携帯通信端末１０２２の各機能は、プログラムを組み込んだ、ＬＳＩ（Ｌａｒｇｅ  Ｓｃａｌｅ  Ｉｎｔｅｇｒａｔｉｏｎ）等のハードウェア部品である回路部品を実装することにより、その動作をハードウェア的に実現することは勿論として、その機能を提供するプログラムを、記憶装置９０７に格納し、そのプログラムを主記憶部９０２にロードしてＣＰＵ８０１で実行することにより、ソフトウェア的に実現することも可能である。
【０１１７】
以上、好ましい実施の形態をあげて本発明を説明したが、本発明は必ずしも、上記実施の形態に限定されるものでなく、その技術的思想の範囲内において様々に変形して実施することができる。
【０１１８】
なお、以上の構成要素の任意の組み合わせ、本発明の表現を方法、装置、システム、記録媒体、コンピュータプログラムなどの間で変換したものもまた、本発明の態様として有効である。
【０１１９】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【０１２０】
また、本発明の方法およびコンピュータプログラムには複数の手順を順番に記載してあるが、その記載の順番は複数の手順を実行する順番を限定するものではない。このため、本発明の方法およびコンピュータプログラムを実施する時には、その複数の手順の順番は内容的に支障しない範囲で変更することができる。
【０１２１】
また、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【０１２２】
さらに、上記実施形態の一部又は全部は、以下の付記のようにも記載されうるが、これに限定されない。
【０１２３】
（付記１）
非接触ＩＣを備える１つ以上の携帯通信端末と、
複数のロッカーを備えるロッカー装置と、
前記携帯通信端末による前記ロッカーの鍵の開閉を管理する施錠管理装置と、
前記各ロッカーの所定の情報及び当該ロッカーの鍵を解錠するための解錠キー情報を含む鍵情報ファイルを管理する管理サーバとを備え、
前記施錠管理装置が、
前記非接触ＩＣとデータの送受信を行う非接触ＩＣリーダ／ライタ手段と、
所定の前記ロッカーの施錠時に、当該ロッカーに関する前記鍵情報ファイルを生成する鍵情報ファイル生成手段と、
前記ロッカーの鍵の開閉を制御する鍵開閉制御手段とを含み、
前記鍵開閉制御手段が、
前記鍵情報ファイル生成手段によって前記鍵情報ファイルが生成された場合、当該鍵情報ファイルを前記携帯通信端末及び前記管理サーバへ送信し、
所定の前記携帯通信端末から前記非接触ＩＣリーダ／ライタ手段を介して前記鍵情報ファイルを受信した場合、当該鍵情報ファイルに対応する前記ロッカーを特定し、当該ロッカーに関する前記鍵情報ファイルを前記管理サーバから取得し、双方の鍵情報ファイルの解錠キー情報が同一である場合、当該ロッカーの解錠を行う
ことを特徴とする鍵開閉システム。
【０１２４】
（付記２）
前記鍵情報ファイルが、
前記ロッカーの情報として、少なくとも当該ロッカーを備える前記ロッカー装置の所在地及び当該ロッカーを識別するためのロッカー番号を含むことを特徴とする付記１に記載の鍵開閉システム。
【０１２５】
（付記３）
前記鍵開閉制御手段は、
前記非接触ＩＣリーダ／ライタ手段を介して、前記非接触ＩＣへ前記鍵情報ファイルを送信し、
前記携帯通信端末は、
受信した前記鍵情報ファイルを前記非接触ＩＣへ読み込ませる制御手段を備える
ことを特徴とする付記１又は付記２に記載の鍵開閉システム。
【０１２６】
（付記４）
前記携帯通信端末が、
一時的にデータを保存するメモリを備え、
前記制御手段が、
前記非接触ＩＣを介して受信した前記鍵情報ファイルを前記メモリに保存し、前記メモリに保存した鍵情報ファイルを前記非接触ＩＣに読み込ませ、その後、前記メモリに保存されている鍵情報ファイルを削除する
ことを特徴とする付記３に記載の鍵開閉システム。
【０１２７】
（付記５）
前記携帯通信端末は、
他の前記携帯通信端末から所定の鍵情報ファイルを受信すると、前記制御手段が、受信した前記鍵情報ファイルを、非接触ＩＣへ読み込ませることを特徴とする付記３又は付記４に記載の鍵開閉システム。
【０１２８】
（付記６）
前記管理サーバが、
前記鍵情報ファイルを格納する鍵情報ファイル格納手段と、
前記施錠管理装置からの要求に応じて、所定の鍵情報ファイルを前記鍵情報ファイル格納手段から取得し、前記施錠管理装置へ送信する鍵情報ファイル管理手段と
を備えることを特徴とする付記１から付記５の何れか１項に記載の鍵開閉システム。
【０１２９】
（付記７）
非接触ＩＣを備える１つ以上の携帯通信端末によるロッカーの鍵の開閉を管理する施錠管理装置であって、
前記非接触ＩＣとデータの送受信を行う非接触ＩＣリーダ／ライタ手段と、
所定の前記ロッカーの施錠時に、当該ロッカーに関する所定の情報及び当該ロッカーの鍵を解錠するための解錠キー情報を含む前記鍵情報ファイルを生成する鍵情報ファイル生成手段と、
前記ロッカーの鍵の開閉を制御する鍵開閉制御手段とを含み、
前記鍵開閉制御手段が、
前記鍵情報ファイル生成手段によって前記鍵情報ファイルが生成された場合、当該鍵情報ファイルを、前記携帯通信端末及び前記鍵情報ファイルを管理する前記管理サーバへ送信し、
所定の前記携帯通信端末から前記非接触ＩＣリーダ／ライタ手段を介して前記鍵情報ファイルを受信した場合、当該鍵情報ファイルに対応する前記ロッカーを特定し、当該ロッカーに関する前記鍵情報ファイルを前記管理サーバから取得し、双方の鍵情報ファイルの解錠キー情報が同一である場合、当該ロッカーの解錠を行う
ことを特徴とする施錠管理装置。
【０１３０】
（付記８）
前記鍵情報ファイルが、
前記ロッカーの情報として、少なくとも当該ロッカーを備える前記ロッカー装置の所在地及び当該ロッカーを識別するためのロッカー番号を含むことを特徴とする付記７に記載の施錠管理装置。
【０１３１】
（付記９）
前記鍵開閉制御手段は、
前記非接触ＩＣリーダ／ライタ手段を介して、前記非接触ＩＣへ前記鍵情報ファイルを送信する
ことを特徴とする付記７又は付記８に記載の施錠管理装置。
【０１３２】
（付記１０）
非接触ＩＣを備える１つ以上の携帯通信端末によるロッカーの鍵の開閉を管理する施錠管理装置による施錠管理方法であって、
所定の前記ロッカーの施錠時に、当該ロッカーに関する所定の情報及び当該ロッカーの鍵を解錠するための解錠キー情報を含む前記鍵情報ファイルを生成する鍵情報ファイル生成ステップと、
前記ロッカーの鍵の開閉を制御する鍵開閉制御ステップとを含み、
前記鍵開閉制御ステップで、
前記鍵情報ファイル生成手段によって前記鍵情報ファイルが生成された場合、当該鍵情報ファイルを、前記携帯通信端末及び前記鍵情報ファイルを管理する前記管理サーバへ送信し、
所定の前記携帯通信端末から前記非接触ＩＣを介して前記鍵情報ファイルを受信した場合、当該鍵情報ファイルに対応する前記ロッカーを特定し、当該ロッカーに関する前記鍵情報ファイルを前記管理サーバから取得し、双方の鍵情報ファイルの解錠キー情報が同一である場合、当該ロッカーの解錠を行う
ことを特徴とする施錠管理方法。
【０１３３】
（付記１１）
前記鍵情報ファイルが、
前記ロッカーの情報として、少なくとも当該ロッカーを備える前記ロッカー装置の所在地及び当該ロッカーを識別するためのロッカー番号を含むことを特徴とする付記１０に記載の施錠管理方法。
【０１３４】
（付記１２）
前記鍵開閉制御ステップで、
非接触ＩＣリーダ／ライタ手段によって、前記非接触ＩＣへ前記鍵情報ファイルを送信する
ことを特徴とする付記１０又は付記１１に記載の施錠管理方法。
【０１３５】
（付記１３）
非接触ＩＣを備える１つ以上の携帯通信端末によるロッカーの鍵の開閉を管理する施錠管理装置上で動作する施錠管理プログラムであって、
前記施錠管理装置に、
所定の前記ロッカーの施錠時に、当該ロッカーに関する所定の情報及び当該ロッカーの鍵を解錠するための解錠キー情報を含む前記鍵情報ファイルを生成する鍵情報ファイル生成処理と、
前記ロッカーの鍵の開閉を制御する鍵開閉制御処理をと実行させ、
前記鍵開閉制御処理で、
前記鍵情報ファイル生成手段によって前記鍵情報ファイルが生成された場合、当該鍵情報ファイルを、前記携帯通信端末及び前記鍵情報ファイルを管理する前記管理サーバへ送信し、
所定の前記携帯通信端末から前記非接触ＩＣを介して前記鍵情報ファイルを受信した場合、当該鍵情報ファイルに対応する前記ロッカーを特定し、当該ロッカーに関する前記鍵情報ファイルを前記管理サーバから取得し、双方の鍵情報ファイルの解錠キー情報が同一である場合、当該ロッカーの解錠を行う
ことを特徴とする施錠管理プログラム。
【０１３６】
（付記１４）
前記鍵情報ファイルが、
前記ロッカーの情報として、少なくとも当該ロッカーを備える前記ロッカー装置の所在地及び当該ロッカーを識別するためのロッカー番号を含むことを特徴とする付記１３に記載の施錠管理プログラム。
【０１３７】
（付記１５）
前記鍵開閉制御処理で、
非接触ＩＣリーダ／ライタ手段によって、前記非接触ＩＣへ前記鍵情報ファイルを送信する
ことを特徴とする付記１３又は付記１４に記載の施錠管理プログラム。
【符号の説明】
【０１３８】
１００：鍵開閉システム
１０：携帯通信端末
１１：制御手段
１２：メモリ
１３：非接触ＩＣ
１４：表示手段
２０：ロッカー装置
２１（ロッカー２１−１〜２１−ｍ）：ロッカー
２２：施錠管理装置
２２１：非接触ＩＣリーダ／ライタ手段
２２２：鍵情報ファイル生成手段
２２３：通信手段
２２４：鍵開閉制御手段
３０：管理サーバ
３１：鍵情報ファイル管理手段
３２：鍵情報ファイル格納手段
３３：通信手段
４０：ネットワーク
５０：基地局
６０：鍵情報ファイル
６１：ヘッダ部
６２：テキスト部
６３：鍵情報部
８０１：ＣＰＵ
８０２：主記憶部
８０３：通信部
８０４：入出力インタフェース部
８０５：入力装置
８０６：出力装置
８０７：記憶装置
８０８：システムバス
９０１：ＣＰＵ
９０２：主記憶部
９０３：無線通信部
９０４：入出力インタフェース部
９０５：入力部
９０６：出力部
９０７：記憶装置
９０８：システムバス
【図１】
2012207452.tif 000003
【図２】
2012207452.tif 000004
【図３】
2012207452.tif 000005
【図４】
2012207452.tif 000006
【図５】
2012207452.tif 000007
【図６】
2012207452.tif 000008
【図７】
2012207452.tif 000009
【図８】
2012207452.tif 000010
【図９】
2012207452.tif 000011
【図１０】
2012207452.tif 000012
【図１１】
2012207452.tif 000013
【図１２】
2012207452.tif 000014
【図１３】
2012207452.tif 000015
【図１４】
2012207452.tif 000016
【図１５】
2012207452.tif 000017